(57)【要約】【課題】ワイヤハーネスから分岐して接続されたコネクタをワイヤハーネスに対して簡易的に位置決めする。【解決手段】ワイヤハーネスＷＨの幹線から分岐した分岐線に接続されたコネクタＣ１をワイヤハーネスＷＨに対して位置決めする位置決め構造であって、コネクタＣ１のコネクタハウジング２にはフィルター回路を構成するコイル６とコンデンサ７をそれぞれ収容する第１乃至第３収容部８〜１０が形成されている。コネクタハウジング２には第２、第３収容部９，１０の間において凹部１１が形成されている。ワイヤハーネスＷＨはこの凹部１１内に圧入気味に挿通されることで、コネクタＣ１がワイヤハーネスＷＨに位置決めされる。【選択図】図１
2015043314.tif 000002
【特許請求の範囲】
【請求項１】
ワイヤハーネスの幹線から分岐した分岐線に接続されたコネクタをワイヤハーネスに対して位置決めする位置決め構造であって、
前記コネクタのコネクタハウジングには電気部品を収容する収容部が複数形成され、かつ前記収容部のうち少なくとも二つの収容部は前記コネクタハウジングの外面に凹部が形成されるように配置され、前記凹部は前記ワイヤハーネスを構成する電線を挿通して保持可能であることを特徴とするコネクタの位置決め構造。
【請求項２】
前記電気部品は、フィルター回路を構成する少なくとも１つのコイルと少なくとも２つのコンデンサとを有し、前記収容部のうち前記コンデンサをそれぞれ収容する一対のコンデンサ収容部が、前記収容部のうち前記コイルを収容するコイル収容部に対し前記コイルの長さ方向の両側に位置して配され、かつ両コンデンサ収容部の間に前記凹部が形成されていることを特徴とする請求項１に記載のコネクタの位置決め構造。
【請求項３】
前記電線は、前記凹部内に圧入されることによって保持されていることを特徴とする請求項１又は２に記載のコネクタの位置決め構造。
【請求項４】
前記電線は、前記凹部内の壁面と前記コネクタハウジングの設置面とによって取り囲まれることによって保持されていることを特徴とする請求項１又は２に記載のコネクタの位置決め構造。
【請求項５】
前記電線は、同電線の外周面と前記凹部内の壁面との間にスペーサが介在されることによって保持されていることを特徴とする請求項１又は２に記載のコネクタの位置決め構造。
【請求項６】
前記凹部は前記電線が差し込まれる方向へ開口して形成されるとともに、前記電線は、前記コネクタハウジングにおいて前記開口を開閉可能とする蓋体によって前記凹部内に保持されることを特徴とする請求項１又は２に記載のコネクタの位置決め構造。
【発明の詳細な説明】
【技術分野】
【０００１】
本発明は、コネクタをワイヤハーネスに対して位置決めする構造に関するものである。
【背景技術】
【０００２】
従来より、自動車等に搭載されるワイヤハーネスはバッテリや複数の電気機器に接続されるため、ワイヤハーネスの幹線から枝線を分岐させ、その端部に取り付けられたコネクタを介して電気機器等への接続を行うようにすることが多い。この場合、コネクタは幹線から引き出された枝線の端部に接続されていることから容易にぶらついてしまい、ワイヤハーネスの運搬途上でコネクタが損傷してしまうことも懸念される。そこで、コネクタをワイヤハーネスに位置決めする手段を講じることがあった（例えば、下記特許文献１）。このものでは、コネクタハウジングに設けられたバンドをワイヤハーネスの外周面に縛り付けることによってコネクタの位置決め固定を行うようにしている。
【先行技術文献】
【特許文献】
【０００３】
【特許文献１】特開平９−１１５６０４公報
【発明の概要】
【発明が解決しようとする課題】
【０００４】
しかし、従来のものではコネクタハウジングとは別途に位置決め手段としてのバンドを必要とするため、より簡易的な位置決め手段が求められていた。
【０００５】
本発明は上記のような事情に基づいて完成されたものであって、コネクタをワイヤーネスに簡易に位置決めできるようにすることを目的とする。
【課題を解決するための手段】
【０００６】
本発明のコネクタの位置決め構造は、ワイヤハーネスの幹線から分岐した分岐線に接続されたコネクタをワイヤハーネスに対して位置決めする位置決め構造であって、コネクタのコネクタハウジングには電気部品を収容する収容部が複数形成され、かつ収容部のうち少なくとも二つの収容部はコネクタハウジングの外面に凹部が形成されるように配置され、凹部はワイヤハーネスを構成する電線を挿通して保持可能であることを特徴とする。
【発明の効果】
【０００７】
本発明によれば、ワイヤハーネスを構成する電線はコネクタハウジングによって形成された凹部に対し挿通して保持可能であるため、コネクタをワイヤハーネスに対して簡易的に位置決めすることができる。また、凹部を、電気部品を収容する少なくとも二つの収容部を利用して形成するようにしたため、位置決め空間を確保するための専用部材を必要とせずに済む。
【図面の簡単な説明】
【０００８】
【図１】実施例１に係るコネクタとワイヤハーネスとの関係を示す概略正面図
【図２】各フィルター素子の接続関係を示す等価回路図
【図３】ワイヤハーネスとコネクタとの関係を示す断面図
【図４】実施例２に係るコネクタにおいて、コイルとコンデンサの収容部の配置関係の概要を示す正面図
【図５】実施例３において、コイルとコンデンサの収容部の配置関係の概要を示す正面図
【図６】実施例４において、コイルとコンデンサの収容部の配置関係の概要を示す正面図
【図７】実施例５において、ワイヤハーネスにスペーサを嵌め込んで凹部内に保持した状態を示す拡大断面図
【図８】実施例６において、ワイヤハーネスに他のスペーサを嵌め込んで凹部内に保持した状態を示す拡大断面図
【図９】実施例７において、コネクタハウジングに蓋体を形成してワイヤハーネスを凹部内に保持した状態を示す拡大断面図
【図１０】実施例８に係るコネクタとワイヤハーネスとの関係を示す概略正面図
【図１１】各フィルター素子の接続関係を示す等価回路図
【発明を実施するための形態】
【０００９】
本発明における好ましい実施の形態を説明する。
（１）本発明の位置決め構造において、電気部品は、フィルター回路を構成する少なくとも１つのコイルと少なくとも２つのコンデンサとを有し、収容部のうちコンデンサをそれぞれ収容する一対のコンデンサ収容部が、収容部のうちコイルを収容するコイル収容部に対しコイルの長さ方向の両側に位置して配され、かつ両コンデンサ収容部の間に凹部が形成されている構成とすることが好ましい。
このようなコイルとコンデンサの配置構成によれば、π型ノイズフィルター回路を形成する上で配線上有利である。
【００１０】
（２）また、電線は、凹部内に圧入されることによって保持されるようにしてもよい。
このような構成によれば、凹部内へ電線を圧入して挿通すれば、コネクタを電線（ワイヤハーネス）上に簡単に位置決めすることができる。
【００１１】
（３）電線は、凹部内の壁面とコネクタハウジングの設置面とによって取り囲まれることによって位置決めされるようにしてもよい。
このような構成によれば、凹部内の壁面と設置面との協働によってコネクタを電線（ワイヤハーネス）に対して位置決めすることができる。
【００１２】
（４）電線は、同電線の外周面と凹部内の壁面との間にスペーサが介在されることによって保持されるようにしても良い。
このような構成によれば、種々の線径の電線に対してもスペーサを適宜に選択して用いることで凹部内の壁面との間の間隙を埋めることができるから、使い勝手に優れたものとなる。
【００１３】
（５）凹部は電線が差し込まれる方向へ開口して形成されるとともに、電線は、コネクタハウジングにおいて開口を開閉可能とする蓋体によって凹部内に保持されるようにしてもよい。
このような構成によっても、種々の線径の電線にも対応できる。
【００１４】
次に、本発明のコネクタを具体化した実施例１乃至実施例７について、図面を参照しつつ説明する。
＜実施例１＞
図１乃至図３は本発明の実施例１を示している。図３に示すように、実施例１に係るコネクタＣ１は複数の電線束によって構成されたワイヤハーネスＷＨの幹線から分岐した枝線Ｂに接続されている。ワイヤハーネスＷＨはコネクタＣ１と共にコルゲートチューブ１内に挿通されている。
【００１５】
本実施例のコネクタＣ１は雄型のコネクタであり、図１に示すように、コネクタハウジング２の中央部には相手コネクタに対する嵌合空間３が設けられている。この嵌合空間３は前方へ開口して図示奥行方向へ延びる空間であり、内部には図示３本の雄端子金具４が幅方向に並列して配置されている。この嵌合空間３は相手側コネクタ５（雌型コネクタ）が嵌合したときに、雌雄の端子金具同士が電気的に接続されるようになっている。
【００１６】
コネクタハウジング２には、ノイズを除去可能なフィルター素子が３個組込まれている。本実施例の場合、フィルター素子として、１つのコイル６と２つのコンデンサ７，７（例えば、フィルムコンデンサ）が用いられている。コネクタハウジング２にはこれらフィルター素子を収容するための収容部８〜１０が設けられている。
【００１７】
図１に示すように、上記した嵌合空間３の上部にはコイル６を収容するための第１収容部８が配されている。コイル６はこの第１収容部８内において、コイル６の軸心がコネクタハウジング２の幅方向に沿うようにして組み込まれている。
【００１８】
また、コネクタハウジング２において嵌合空間３の下部側は、正面視で嵌合空間３を幅方向から挟むようにして二股に分岐し、それぞれは下向きに延出して形成されている。両延出部分の内部にはコンデンサ７を収容する一対の第２、第３収容部９，１０が形成されている。このことにより、コネクタハウジング２には第２、第３収容部９，１０の間において前後方向（図１における奥行方向）及び下方の３方向へ開口する凹部１１が形成される。この凹部１１の幅寸法（第２、第３収容部９，１０の対向する壁面間の寸法）はワイヤハーネスＷＨの幹線の外径寸法よりも狭めに設定されている。
【００１９】
各フィルター素子６，７と端子金具４とは、図２の等価回路に示すように接続されてπ型のフィルター回路を構成している。すなわち、コイル６の両端は３本の端子金具４のうち幅方向両端に配された端子金具４と接続されている。また、両コンデンサ７のうちの一方のリード線（図示しない）は、これら両端子金具４とコイル６に対し並列となるように接続されている。さらに、残りの端子金具４はアースに接続されており、かつ両コンデンサ７の他方のリード線（図示しない）はこの端子金具４に接続されている。かくして、本実施例においては両コンデンサ７及びコイル６はπ型フィルター回路を構成するように接続されている。
【００２０】
上記のように構成されたコネクタＣ１では、ワイヤハーネスＷＨの幹線を凹部１１の下面側から嵌め込み、第２、第３収容部９，１０間で跨ぐようにして挿通させる。このとき、前述したように、凹部１１の幅寸法はワイヤハーネスＷＨの幹線の外径寸法よりも小さく設定されているため、ワイヤハーネスＷＨの幹線は凹部１１内に圧入気味に嵌め入れられる。かくして、コネクタＣ１はワイヤハーネスＷＨの幹線に対してその長手方向及び周方向に関して簡易的に位置決めされる。
【００２１】
しかも、凹部１１はコンデンサ７を収容する第２、第３収容部９，１０間に形成されている。すなわち、凹部１１が、コネクタハウジング２においてコンデンサ７を収容する収容部の配置を工夫した結果として形成されるようにしたため、ワイヤハーネスＷＨに対する位置決めのための専用の部材を必要としない。
【００２２】
また、本実施例では、コイル６の軸線方向をコネクタハウジング２の幅方向に沿うようにし、かつこのコイル６を幅方向に挟むようにしてコンデンサ７を配置している。このため、これらフィルター素子と各端子金具４との間でπ型フィルター回路を構成する上で配線の接続を容易にすることができる、という効果も得られている。
【００２３】
なお、ワイヤハーネスＷＨの幹線の外径寸法がばらついて凹部１１の内壁面に対する圧接状況が不十分になることが懸念される。そのような場合には、ワイヤハーネスＷＨの幹線にテープ巻きをしてワイヤハーネスＷＨの外径寸法を増加させれば、簡単に圧接状況を確保することができる。
【００２４】
＜実施例２＞
図４は実施例２に係るコネクタＣ２の位置決め構造を示している。本実施例に係るコネクタＣ２のコネクタハウジング２０においては、凹部１１が、コイル６を収容する第１収容部８と片方のコンデンサ７を収容する第３収容部１０との間に形成されるようにしたものである。また、コイル６は第１収容部８内において、コイル６の軸心が図示奥行方向に沿うようにして配置されている。さらに、他方のコンデンサ７を収容する第２収容部９は第１収容部８の幅方向外側に並列して配置されている。
【００２５】
他の構成は実施例１と同様である。このように構成された実施例２においても、ワイヤハーネスＷＨの幹線を凹部１１内に圧入気味に嵌め入れることで、コネクタＣ２をワイヤハーネスＷＨの幹線に対して簡易的に位置決めすることができる。
【００２６】
＜実施例３＞
図５は実施例３に係るコネクタＣ３の位置決め構造を示している。本実施例に係るコネクタＣ３は、設置面３０に沿って配索されるワイヤハーネスＷＨに位置決めされる。本実施例のコネクタＣ３は設置面３０に対して固定されるブラケット３１等の固定手段を介して固定される。本実施例のコネクタハウジング３２は上部に嵌合空間３が配され、中央部にコイル６を収容する第１収容部８が配されている。コイル６は第１収容部８内において軸線が図示奥行方向に沿うようにして収容されている。
【００２７】
コネクタハウジング３２において第１収容部８より下部側は二股に分岐して一対の脚部３３が形成されている。両脚部３３にはそれぞれコンデンサ７を収容する第２、第３収容部９，１０が形成されている。また、両脚部３３は設置面３０上に当接してコネクタハウジング３２全体を支持可能である。両脚部３３と設置面３０とによって取り囲まれた空間は、下面側へ開口する三角柱状の凹部２１となってワイヤハーネスＷＨを挿通可能である。
【００２８】
上記のように構成されたコネクタＣ３は、設置面３０上に配索されたワイヤハーネスＷＨを両脚部３３間で跨ぐようにして上方から被せ付けられる。これにより、ワイヤハーネスＷＨが凹部２１内に誘導される。この状態で、コネクタハウジング３２がブラケット３１等の固定手段を介して設置面３０に固定される。これに伴い、コネクタＣ３がワイヤハーネスＷＨに対して位置決めされる。
【００２９】
＜実施例４＞
図６は実施例４に係るコネクタＣ４の位置決め構造を示している。本実施例に係るコネクタＣ４も実施例３と同様、設置面４０，４１に沿って配索されるワイヤハーネスＷＨに適用したものである。但し、本実施例の設置面は水平面４０と垂直面４１とからなり、ワイヤハーネスＷＨは水平面４０と垂直面４１の境界部分において、二面に沿いながらかつそれぞれの面に当接した状態で配索される。
【００３０】
コネクタハウジング４２は上部に嵌合空間３が配され、その下部側にコイル６を収容する第１収容部８が配されている。コイル６はコネクタハウジング４２の幅方向に沿って配されている。また、コネクタハウジング４２の下部であって幅方向の片側には下向きに支持部４３が突出している。この支持部４３にはコンデンサ７を収容する第２収容部９が形成されている。この支持部４３は、設置面のうち水平面４０側に当接する。このこと併せて、コネクタハウジング４２において嵌合空間３とコイル６を収容する第１収容部８とが設けられている範囲の外側面は垂直面４１に当接することで、コネクタＣ４全体が設置面に支持される。
【００３１】
また、コネクタハウジング４２において支持部４３の内側面と第１収容部８が設けられている部分の下面とによって区画される空間が凹部１１となる。したがって、本実施例の凹部１１は、それ自体では、下方および図示右方、換言すれば設置面における水平面４０と垂直面４１の双方と対向する方向へ開放する空間となっている。
【００３２】
さらに、本実施例のコネクタハウジング４２は垂直面４１に対向する側面にクリップ４４が横向きにかつ一体に突出形成されている。クリップ４４には撓み可能な抜け止め部４４Ａが形成され、垂直面４１に貫通して形成された取付孔４５に差し込まれて弾性的に係止することで、コネクタＣ４全体を垂直面４１に固定することができる。
【００３３】
上記のように構成されたコネクタＣ４は次のようにしてワイヤハーネスＷＨに位置決めされる。まず、ワイヤハーネスＷＨを垂直面４１と水平面４０との境界部分に沿わせた状態で配索しておく。そして、コネクタＣ４をワイヤハーネスＷＨの側方から接近させ、ワイヤハーネスＷＨを凹部１１内の壁面と水平面４０、垂直面４１とで囲まれる空間に導入し、併せてクリップ４４を垂直面４１の取付孔４５へ差し込んで弾性係止させる。かくして、コネクタＣ４がワイヤハーネスＷＨに対して位置決めされる。
【００３４】
＜実施例５＞
図７は実施例５に係る位置決め構造を示している。本実施例のコネクタＣ５では、ワイヤハーネスＷＨの外径寸法（Ｗ１）より凹部１１の幅寸法（Ｗ２：Ｗ２＞Ｗ１）が十分に広く設定されている。本実施例では、ワイヤハーネスＷＨにリング状に形成されたスペーサ５０が嵌め込まれている。スペーサ５０は例えばゴム材（合成樹脂製であってもよい。）にて形成されている。なお、詳細には図示しないが、スペーサ５０には径方向に沿ってスリットが切り込まれて周方向に分断されており、このスリット部分にて拡開させることでワイヤハーネスＷＨに対し径方向から嵌め付けることができるようにしてある。
【００３５】
このようなスペーサ５０を用いることで、ワイヤハーネスＷＨは全周に亘って外形寸法が拡張される結果、ワイヤハーネスＷＨを凹部１１内に圧入気味に嵌め入れることができる。これにより、スペーサ５０は凹部１１内の３つの壁面（図示上壁面及び両側壁面）にそれぞれ圧接するため、コネクタＣ５がワイヤハーネスＷＨに対して位置決めされる。
【００３６】
上記のように構成された実施例５によれば、異なる外径のスペーサ５０を複数種用意しておくことで、異なる径のワイヤハーネスＷＨを保持することができるため、ワイヤハーネスＷＨに対する適用範囲の拡大を図ることができる。
【００３７】
＜実施例６＞
図８は実施例６に係る位置決め構造を示している。実施例６は、実施例５のスペーサの形状を変更したものである。また、本実施例のコネクタＣ６においても、ワイヤハーネスＷＨの外径寸法より凹部１１の幅寸法が十分に広く設定されている。
【００３８】
本実施例のスペーサ６０は略Ｕ字形状に形成されていて、ワイヤハーネスＷＨに対し下方あるいは上方から嵌め付けることで、ワイヤハーネスＷＨを幅方向に増幅できるようにしたものである。こうすることで、ワイヤハーネスＷＨが凹部１１内の対向壁面に圧接して、コネクタＣ６がワイヤハーネスＷＨに位置決めされる。また、異なる肉厚のスペーサ６０を複数種用意しておくことで、実施例５と同様、種々の径のワイヤハーネスＷＨに対応することができる。
【００３９】
＜実施例７＞
図９は実施例７に係る位置決め構造を示している。本実施例に係るコネクタＣ７には凹部１１における下方開口を閉止する蓋体７０がヒンジ７１を介して開閉可能に取付けられている。
【００４０】
このような構成であれば、蓋体７０により、凹部１１からワイヤハーネスＷＨが脱落する事態を確実に阻止することができる。したがって、スペーサ等の保持具を別途に設けることなく、種々の径のワイヤハーネスＷＨに対応することができる。
【００４１】
＜実施例８＞
次に、本発明を具体化した実施例８に係るコネクタＣ８の位置決め構造を図１０および図１１によって説明する。
本実施例のコネクタＣ８は、１つの抵抗器８０と１つのコンデンサ７とをフィルター素子として用いた点で、実施例１とは相違する。なお、実施例１と同様の構成には同一符号を付して重複する説明を省略する。
【００４２】
本実施例に係るコネクタＣ８のコネクタハウジング８１には、実施例１と同様、中央部に、相手コネクタに対する嵌合空間３が設けられ、嵌合空間３の内部には、２本の雄端子金具４が幅方向に並列して配置されている。そして、コネクタハウジング８１には、実施例１と同様、コネクタハウジング８１の外面に凹部１１が形成されるように、第２収容部９および第３収容部１０が形成されている。第２収容部９および第３収容部１０は、実施例１と同様、コネクタハウジング８１において嵌合空間３の下部側に二股に分岐して設けられた部分の内部に一ずつ形成され、第２収容部９に抵抗器８０、第３収容部１０にコンデンサ７が収容されている。抵抗器８０、コンデンサ７および端子金具４は、図１１の等価回路に示すように接続されてフィルター回路を構成している。
コネクタハウジング８１に形成された凹部１１は、実施例１と同様、ワイヤハーネスＷＨの幹線を挿通して保持可能とされている。
【００４３】
上記のように構成されたコネクタＣ８では、実施例１と同様、ワイヤハーネスＷＨの幹線を凹部１１の下面側から嵌め込み、第２、第３収容部９，１０間で跨ぐようにして挿通させることにより、コネクタＣ８をワイヤハーネスＷＨに対して簡易的に位置決めすることができ、また、凹部１１を、二つの収容部９，１０を利用して形成するようにしたため、位置決め空間を確保するための専用部材を必要とせずに済む、という効果を得ることができる。
【００４４】
＜他の実施例＞
本発明は上記記述及び図面によって説明した実施例に限定されるものではなく、例えば次のような実施例も本発明の技術的範囲に含まれる。
（１）上記実施例では、電気部品としてコイルとコンデンサといったフィルター素子を例示したが、抵抗等その他の電気部品であってもよい。
（２）収容部は、コネクタハウジング内において電気部品を収容するための空間として確保しておく必要はなく、モールドして充填してもよく、また電気部品をインサートした状態でコネクタハウジングを成形するようにしてもよく、このような態様のものも収容部の概念に含まれる。
（３）上記実施例では、コネクタＣ１の凹部１１に、ワイヤハーネスＷＨの幹線を構成する全ての電線の束を嵌め込むものとしているが、これに限らず、例えばコネクタの凹部に、ワイヤハーネスを構成する全ての電線のうち１本、または任意に選択した複数本の電線の束を嵌め込むものしてもよい。
【符号の説明】
【００４５】
２，２０，３２，４２，８１…コネクタハウジング
６…コイル（電気部品）
７…コンデンサ（電気部品）
８…第１収容部
９…第２収容部
１０…第３収容部
１１…凹部
５０，６０…スペーサ
７０…蓋体
８０…抵抗器（電気部品）
Ｃ１〜Ｃ８…コネクタ
ＷＨ…ワイヤハーネス
【図１】
2015043314.tif 000003
【図２】
2015043314.tif 000004
【図３】
2015043314.tif 000005
【図４】
2015043314.tif 000006
【図５】
2015043314.tif 000007
【図６】
2015043314.tif 000008
【図７】
2015043314.tif 000009
【図８】
2015043314.tif 000010
【図９】
2015043314.tif 000011
【図１０】
2015043314.tif 000012
【図１１】
2015043314.tif 000013